(57)【特許請求の範囲】
【請求項１】
色信号を色復調する色復調手段と、
前記色復調手段で生成されたＲ−Ｙ色差信号をデジタル信号に変換するＡ／Ｄ変換手段と、
前記デジタル信号を演算する演算手段と、
演算結果を出力する演算結果出力手段と、
輝度信号を同期分離し同期信号を前記演算手段に出力する同期分離手段とを有し、
入力信号として少なくともカラーバーが入力されたときに、Ａ／Ｄ変換手段に入力されたＲ−Ｙの、イエローとペデスタルのレベル差に対するペデスタルとブルーのレベル差、マゼンタとペデスタルのレベル差に対するペデスタルとグリーンのレベル差、レッドとペデスタルのレベル差に対するペデスタルとシアンのレベル差、のうちの少なくとも１つを比較し、等しいかどうかで、Ａ／Ｄ変換手段に入力されたＲ−Ｙ信号に歪が存在するかどうかを検出し出力する色差信号処理回路。
【請求項２】
色信号を色復調する色復調手段と、
前記色復調手段で生成されたＢ−Ｙ色差信号をデジタル信号に変換するＡ／Ｄ変換手段と、
前記デジタル信号を演算する演算手段と、
演算結果を出力する演算結果出力手段と、
輝度信号を同期分離し同期信号を前記演算手段に出力する同期分離手段とを有し、
入力信号として少なくともカラーバーが入力されたときに、Ａ／Ｄ変換手段に入力されたＢ−Ｙの、イエローとペデスタルのレベル差に対するペデスタルとブルーのレベル差、マゼンタとペデスタルのレベル差に対するペデスタルとグリーンのレベル差、レッドとペデスタルのレベル差に対するペデスタルとシアンのレベル差、のうちの少なくとも１つを比較し、等しいかどうかで、Ａ／Ｄ変換手段に入力されたＢ−Ｙ信号に歪が存在するかどうかを検出し出力する色差信号処理回路。
【請求項３】
検出された結果を用い、Ａ／Ｄ変換手段前の色差信号の歪や色相の調整に用いる請求項１及び２のいずれかに記載の色差信号処理回路。
【発明の詳細な説明】
【０００１】
【発明の属する技術分野】
本発明は、Ａ／Ｄ変換手段に入力される色差信号の歪や色相等の特性を検出する、色差信号処理回路に関する。
【０００２】
【従来の技術】
色差信号における歪や色相等の特性についてはそれがそのまま映像機器の性能に影響するため、色差信号処理回路においては、色差信号の歪や色相等の特性の検出に対して信頼性が要求されている。従来、この検出は人がオシロスコープやベクトルスコープ等の計測器を用い手動で行っていた。
【０００３】
【発明が解決しようとする課題】
上記したように、従来、この検出は人がオシロスコープやベクトルスコープ等の計測器を用い手動で行ってきたため、読む人の主観が入ったり、読み取り誤差があったり、また個人差があったりして信頼性が低かった。また、微妙な測定であるので、多くの時間を必要とした。
【０００４】
本発明は、デジタル信号において演算を行う事により、色差信号の歪や色相等の特性の検出において、信頼性を高めかつ短時間で行うことを目的とする。
【０００５】
【課題を解決するための手段】
これらの課題を解決する為に本発明は、色信号を色復調する色復調手段と、前記色復調手段で生成された色差信号をデジタル信号に変換するＡ／Ｄ変換手段と、前記デジタル信号を演算する演算手段と、演算結果を出力する演算結果出力手段と、輝度信号を同期分離し同期信号を前記演算手段に出力する同期分離手段とを有し、前記演算手段は色差信号中の少なくとも二色の信号レベル値を比較することを特徴とするように構成したものである。
【０００６】
これにより、本発明は、デジタル信号において演算を行う事により、色差信号の歪や色相等の色差信号の特性の検出において、信頼性を高めかつ短時間で行うことができ、読む人の主観が入ったり、読み取り誤差があったり、また個人差があったりすることもなく高い信頼性が得られる。
また本発明は、検出された結果を用い、色差信号の調整に用いるように構成したものである。
【０００７】
これにより、本発明は、検出結果に基づき自動調整可能となり、より短時間で調整できる。
【０００９】
【発明の実施の形態】
本発明の請求項１に記載の発明は、色信号を色復調する色復調手段と、前記色復調手段で生成されたＲ−Ｙ色差信号をデジタル信号に変換するＡ／Ｄ変換手段と、前記デジタル信号を演算する演算手段と、演算結果を出力する演算結果出力手段と、輝度信号を同期分離し、同期信号を前記演算手段に出力する同期分離手段とを有し、入力信号として少なくともカラーバーが入力されたときに、
Ａ／Ｄ変換手段に入力されたＲ−Ｙの、
イエローとペデスタルのレベル差に対するペデスタルとブルーのレベル差、
マゼンタとペデスタルのレベル差に対するペデスタルとグリーンのレベル差、
レッドとペデスタルのレベル差に対するペデスタルとシアンのレベル差、
のうちの少なくとも１つを比較し、等しいかどうかで、Ａ／Ｄ変換手段に入力されたＲ−Ｙ信号に歪が存在するかどうかを検出し出力する色差信号処理回路としたものであり、デジタル信号において演算を行う事により、色差信号の歪の検出において、信頼性を高めかつ短時間で行うことができ、読む人の主観が入ったり、読み取り誤差があったり、また個人差があったりすることもなく高い信頼性が得られる。
【００１０】
請求項２に記載の発明は、請求項１の”Ｒ−Ｙ色差信号”を”ＢーＹ色信号”に置き換えたものであり、他の構成および効果は請求項１と同様である。
【００１１】
請求項３に記載の発明は、請求項１及び２の発明で検出された結果に基づき、Ａ／Ｄ変換手段前の色差信号の歪や色相の調整に用いる色差信号処理回路としたものであり、上記の効果に加え、自動調整可能となり、より短時間で調整できるという効果を有する。
以下、本発明の実施の形態について、図１から図４を用いて説明する。
【００１２】
図１は、本発明の実施の形態における色差信号処理回路を示し、図１において、１はコンポジットビデオ信号、１１と１２はＹＣビデオ信号の輝度信号と色信号、４１はＹ／Ｃ分離回路、２はＹ／Ｃ分離された輝度信号、３はＹ／Ｃ分離された色信号、３１はＹ／Ｃ分離された信号の内の色信号３とＹＣビデオ信号の色信号１２のどちらかを選択して出力するためのスイッチ回路、４２は色信号を色差信号に変換するための色復調回路、２６はＲ−Ｙ信号、２７はＢ−Ｙ信号、３２はＹ／Ｃ分離された信号の内の輝度信号２とＹＣビデオ信号の輝度信号１１のどちらかを選択して出力するためのスイッチ回路、２４は選択された輝度信号、２５は選択された色信号、４３は輝度信号の同期分離回路、３０は分離された同期信号、４４と４５はＡ／Ｄコンバータ、２８と２９はＡ／Ｄコンバートされた信号、４６は演算回路、３３は歪の演算結果、３４は色相の演算結果、４７は演算結果出力回路、３５は歪の演算結果出力、３６は色相の演算結果出力である。
【００１３】
図２には、図１のＲ−Ｙ信号２６とＢ−Ｙ信号２７の各点での波形を示す。
（実施の形態１）
スイッチ回路３１において、色信号３が選ばれる。スイッチ回路３２において、輝度信号２が選ばれる。コンポジットビデオ信号１としてカラーバーを入力したときに、図２に示すようにＲ−Ｙ信号２６において、ペデスタルに対し波形が上下対称となる。すなわち少なくともレッドとペデスタルの差であるａと、ペデスタルとシアンの差であるｂは等しくなる。
【００１４】
演算回路４６においては、少なくともａ−ｂの演算結果が０に等しいかとの演算を行い、歪みの演算結果３３を演算結果出力回路４７に送る。
演算結果出力回路４７では歪みの演算結果出力３５を少なくともＨＩＧＨ／ＬＯＷのＤＣとして出力する。レッドやペデスタル等の選択は同期信号３０を基準に行う。
【００１５】
このように、デジタル信号において演算を行う事により、色差信号の歪の検出において、信頼性を高めかつ短時間で行うことができ、読む人の主観が入ったり、読み取り誤差があったり、また個人差があったりすることもなく高い信頼性が得られる。
（実施の形態２）
スイッチ回路３１において、色信号３が選ばれる。スイッチ回路３２において、輝度信号２が選ばれる。コンポジットビデオ信号１としてカラーバーを入力したときに、図２に示すようにＢ−Ｙ信号２７において、ペデスタルに対し波形が上下対称となる。すなわち少なくともブルーとペデスタルの差であるｃと、ペデスタルとイエローの差であるｄは等しくなる。
【００１６】
演算回路４６においては、少なくともｃ−ｄの演算結果が０に等しいかとの演算を行い、歪みの演算結果３３を演算結果出力回路４７に送る。
演算結果出力回路４７では歪みの演算結果出力３５を少なくともＨＩＧＨ／ＬＯＷのＤＣとして出力する。ブルーやペデスタル等の選択は同期信号３０を基準に行う。
【００１７】
このように、デジタル信号において演算を行う事により、色差信号の歪の検出において、信頼性を高めかつ短時間で行うことができ、読む人の主観が入ったり、読み取り誤差があったり、また個人差があったりすることもなく高い信頼性が得られる。
（実施の形態３）
スイッチ回路３１において、色信号３が選ばれる。スイッチ回路３２において、輝度信号２が選ばれる。コンポジットビデオ信号１としてカラーバーを入力したときに、図２に示すようにＢ−Ｙ信号２７において、少なくともブルーとマゼンタのレベル差ｅに対するマゼンタとシアンのレベル差ｆが、０．２９９：０．２８８になる。
【００１８】
演算回路４６においては、少なくともｅの０．２８８倍が、ｆの０．２９９倍に等しいかとの演算を行い、色相の演算結果３４を演算結果出力回路４７に送る。演算結果出力回路４７では色相の演算結果出力３６を少なくともＨＩＧＨ／ＬＯＷのＤＣとして出力する。ブルーやマゼンタ等の選択は同期信号３０を基準に行う。
【００１９】
このように、デジタル信号において演算を行う事により、色差信号の色相の検出において、信頼性を高めかつ短時間で行うことができ、読む人の主観が入ったり、読み取り誤差があったり、また個人差があったりすることもなく高い信頼性が得られる。
（実施の形態４）
実施の形態１から４について、検出された結果を用い、色差信号処理回路内において、Ａ／Ｄ変換回路前の色差信号の歪や色相の調整に用いる。
【００２０】
色差信号の歪や色相の調整については図３及び図４を用いて説明する。
図３は、本発明の実施の形態における色差信号処理回路を示し、図３において、図１と異なるのは、演算結果出力回路から色復調回路に至る制御信号５１，５２，５３を設けたことである。また、図４は、図３の色復調回路４２０の内部構成を示している。
【００２１】
図３では３本の制御信号（５１〜５３）があるが、これを１本にまとめて制御してもよい。
図４をもとに色差信号の歪と色相の調整について説明する。図４において、５１は色相調整用制御信号であり、５２及び５３は歪調整用制御信号である。
５４は色信号２５を入力としてバースト信号を抜き出すバースト分離回路であり、５５はバースト信号を入力とし自動位相制御することで正常なクロック信号を出力するＡＰＣ（自動位相制御）回路であり、５６は制御信号５１により入力するクロック信号の遅延量が変わる可変遅延回路であり、５７は可変遅延回路５６及び遅延回路５９で遅延されたクロック信号で色信号２５からＲーＹ信号を復調するＲ−Ｙ復調回路であり、５８は可変遅延回路５６で遅延されたクロック信号で色信号２５からＢーＹ信号を復調するＢ−Ｙ復調回路であり、５９は遅延回路であり、６０はＲ−Ｙ復調回路５７の出力信号であるＲ−Ｙ信号を増幅する増幅回路であり、６１はＢ−Ｙ復調回路５８の出力信号であるＢ−Ｙ信号を増幅する増幅回路である。
【００２２】
以上のように構成することで、色差信号の復調回路（５７，５８）の動作クロックのタイミングを制御信号５１によって変えることで、色相の調整を行う。
この調整は、演算結果出力回路４７０で検出された色相のずれに応じてそのずれが少なくなるように制御信号５１を出力するが、１回の調整動作で適正な色相にならない場合は複数回調整動作を行う。
【００２３】
歪の調整は、制御信号（５２，５３）で増幅回路（６０，６１）のバイアスを制御して歪をなくしている。この調整も上記の色相の調整と同様、歪がなくなるまで行う。
このように、検出結果に基づき自動調整可能となり、より短時間で調整できる。
【００２４】
なお、以上の説明では、演算結果出力回路において、ＨＩＧＨ／ＬＯＷでの出力の例を説明したが、ＬＥＤをつけるなどして分かりやすく表示することも実施可能である。
また、Ａ／Ｄに入力される色差信号が大きい小さいに関わらず本発明は実施可能である。
【００２５】
また、コンポジットビデオ信号かＹＣビデオ信号のどちらかしか用いないときは、３１や３２のスイッチ回路は用いずに直接つないでもよい。
また、歪みの演算結果出力３５、色相の演算結果出力３６の、少なくとも１つを、機械による自動調整に利用することも可能である。
また、調整を行うのは、製造工程で行ってもよいし、使用者が使用する場合に行ってもよいし、修理をする人が行ってもよい。
【００２６】
【発明の効果】
以上のように本発明によれば、デジタル信号において演算を行う事により、色差信号の歪や色相等の特性の検出において誤差のない正確な検出を行う事ができ、従来、人がオシロスコープやベクトルスコープ等の計測器を用い手動で行ってきた方法に比べ高い信頼性が得られ、本発明を実施した映像機器の性能を高める事が出来るという有利な効果が得られる。
【００２７】
また、本発明によれば、検出した値をもとに自動調整可能となり、より短時間で調整できるという効果を有する。
【図面の簡単な説明】
【図１】本発明の一実施の形態による色差信号処理回路を示すブロック図
【図２】本発明の一実施の形態による色差信号処理回路の動作を説明するための波形図
【図３】本発明の一実施の形態による色差信号処理回路を示すブロック図
【図４】図３の色差信号処理回路における色復調回路を示すブロック図
【符号の説明】
１  コンポジットビデオ信号
１１  ＹＣビデオ信号の輝度信号
１２  ＹＣビデオ信号の色信号
２６  Ｒ−Ｙ信号
２７  Ｂ−Ｙ信号
３３  歪の演算結果
３４  色相の演算結果
３５  歪の演算結果出力信号
３６  色相の演算結果出力信号
４１  Ｙ／Ｃ分離回路
４２  色信号を色差信号に変換するための色復調回路
４３  輝度信号の同期分離回路
４４，４５  Ａ／Ｄコンバータ
４６  演算回路
４７  演算結果出力回路
【図１】
0003562242.tif 000002
【図２】
0003562242.tif 000003
【図３】
0003562242.tif 000004
【図４】
0003562242.tif 000005